(57)【要約】【課題】遠心ファン側の軸受け内部を流れる循環流を防ぎ、高性能な電動送風機を実現する。【解決手段】遠心ファンとデュフューザの支持板との間に環状のシール部材を配置し、デュフューザの支持板にシール部材を支持する押え部材を設けた【選択図】  図２
2005023868.tif 000002
【特許請求の範囲】
【請求項１】
筒状のハウジングと前記ハウジングに固定されたエンドブラケットと、前記ハウジング及び前記エンドブラケットにそれぞれ配置した軸受により支持される回転子と、前記回転子に固定される遠心ファンと、前記遠心ファンと略同軸に前記遠心ファンの外周側に配置されるディフューザ及び該ディフューザを支持する円板状の支持板からなるディフューザ組立体と、前記遠心ファン及び前記ディフューザ組立体を覆うファンケーシングとを有し、前記ハウジング内に固定子を配置した電動送風機において、
前記遠心ファンと前記支持板との間に環状のシール部材を配置し、前記支持板には前記シール部材を支持する押え部材を設けたことを特徴とする電動送風機。
【請求項２】
請求項１において、
前記ファン板部と軸受間に一体的に挟持される押さえ板に設けた円環状凸部を前記シール部材と接触摺動するようにしたことを特徴とする。
【請求項３】
請求項１又は請求項２において、
前記押え部材は、円筒部とフランジ部を有し、前記フランジ部で前記シール部材を支持板側へ押圧固定し、前記円筒部を前記支持板に設けた円環溝に固定係止したことを特徴とする電動送風機。
【請求項４】
請求項１又は請求項２において、
前記押さえ板の凸部の片面又は一部のみシール部材と接触摺動することを特徴とする電動送風機。
【請求項５】
請求項１乃至４の何れかの電動送風機を備えた電気掃除機。
【発明の詳細な説明】
【０００１】
【発明の属する技術分野】
本発明は、電気掃除機に使用される電動送風機及びこの電動送風機を備えた電気掃除機に関するものである。
【０００２】
【従来の技術】
従来の技術について図を用いて詳細に説明する。図６は従来の電動送風機２８の内部構造を示したものである。電動送風機２８は金属板のプレス加工により形成されているハウジング２とハウジング２に固定された固定子３、ハウジング２に設けられた軸受け４ａとエンドブラケット１７に設けられた軸受け４ｂによって保持される回転軸５を有する回転子６、回転軸５に固定された整流子７、整流子７との電気的摺接を行うブラシ８を保持するとともにハウジング２に固定されるホルダ９、ナット１８により回転軸５の一端に固定される遠心ファン１２、遠心ファン１２から出た空気流の流速を落とし圧力回復するディフューザ１３、前記ディフューザと一体に成形されてディフューザを支持する円板状の支持板部１９、ディフューザと一体に成形され空気流を電動機内部へ導くリターンガイド１４、遠心ファン１２とディフューザ１３を覆うファンケーシング１５によって構成される。
【０００３】
整流子７は、その円周面に整流子片を有し、各整流子片は回転子６内のコイルと接続されている。ブラシ８は、ばね１０により整流子７に押し付けられ、整流子７に摺接している。１１はブラシ８と外部電極を接続するためブラシ８と電気的に接続されたリード線であり、ホルダ９に設けられた端子（図示せず）と接続されている。
【０００４】
電気掃除機のスイッチが入れられて電動送風機が運転を開始すると、遠心ファン１２の回転により空気はファンケーシング１５の空気取り入れ口１６から流入し、ディフューザ１３、リターンガイド１４を通ってハウジング２内の電動機部に流入し、電動機部を冷却して電動送風機から排気される。
【０００５】
このとき、支持板部１９の遠心ファン側は遠心ファンによる負圧により低圧となり、支持板部１９の回転子側はディフューザの圧力回復により大気圧に近くなる。この圧力差により、エンドブラケット１７に設けられた軸受け４ｂ内部を電動機側から遠心ファン側へと流れる循環流２０が発生し、電動送風機の効率が低下する。
【０００６】
この問題を解決するために、従来は特開平８−２００２８８号公報（特許文献１）、特開平８−３２６６８５号公報（特許文献２）等で示されるような、支持板部あるいはエンドブラケットと遠心ファンとの間にシール部材を設置する技術がある。
【０００７】
【特許文献１】
特開平８−２００２８８号公報
【特許文献２】
特開平８−３２６６８５号公報
【０００８】
【発明が解決しようとする課題】
しかし、これらの技術はシール部材の固定に接着剤を用いたり、支持板部やエンドブラケット部に溝を形成してシール部材を嵌合固定するものとなっている。接着剤を用いる場合、塗布や乾燥の工程が必要なため作業性が悪く、また接着が不十分だと運転に伴いシール部材の変形や剥がれが生じ、電動送風機の破損にいたる場合もある。
支持板部やエンドブラケット部に溝を形成してシール部材を嵌合固定する場合、運転に伴うシール部材の回動や外れを防ぐにはシール部材自体に剛性が必要となる。良好なシール性を得るためには、固定側と回転側は摺接状態であることが必要だが、シール部材の剛性が高すぎると回転部の振れまわりに追従できないため良好なシール性が得られずまた大きな摩擦損失を発生してしまう。さらには摺接部がロックしてしまい電動送風機が運転できなくなってしまう場合もある。
そこで本発明では良好なシール性を維持しつつ、シール部材の外れや摺接部のロックを防止し、高性能な電動送風機を提供することを課題とする。
【０００９】
【課題を解決するための手段】
筒状のハウジングと前記ハウジングに固定されたエンドブラケットと、前記ハウジング及び前記エンドブラケットにそれぞれ配置した軸受により支持される回転子と、前記回転子に固定される遠心ファンと、前記遠心ファンと略同軸に前記遠心ファンの外周側に配置されるディフューザと前記ディフューザを支持する円板状の支持板からなるディフューザ組立体、前記遠心ファン及び前記ディフューザ組立体を覆うファンケーシングとを有し、前記ハウジング内に固定子を配置した電動送風機において、前記支持板に面する前記ファン板部との間に設けられた円環状のシール部材を前記軸受けと略同軸に支持する円環状の押え部材を前記支持板に固定係止することで、回転部の振れまわりに追従できかつ摩擦抵抗の少ない柔軟なシール材を用いることができ、高性能な電動送風機を生産性良く実現することが出来る。
【００１０】
【発明の実施例】
本発明に係る実施の形態について図を用いて詳細に説明する。
【００１１】
図１は電動送風機１の内部構造を示したものである。電動送風機１は金属板のプレス加工により形成されているハウジング２とハウジング２に固定された固定子３、ハウジング２に設けられた軸受け４ａとエンドブラケット１７に設けられた軸受け４ｂによって保持される回転軸５、回転軸５に固定された回転子６、回転軸５に固定された整流子７、整流子７との電気的摺接を行うブラシ８を保持するとともにハウジング２に固定されたホルダ９、ナット１８により回転軸５の一端に固定される遠心ファン１２、遠心ファン１２から出た空気流の流速を落とし圧力回復するディフューザ１３、前記ディフューザと一体に成形されてディフューザを支持する円板状の支持板部１９、ディフューザと一体に成形され空気流を電動機内部へ導くリターンガイド１４、遠心ファン１２とディフューザ１３を覆うファンケーシング１５によって構成される。
【００１２】
整流子７は、その円周面に整流子片を有し、各整流子片は回転子６内のコイルと接続されている。ブラシ８は、ばね１０により整流子７に押し付けられ、整流子７に摺接している。１１はブラシ８と外部電極を接続するためブラシ８と電気的に接続されたリード線であり、ホルダ９に設けられた端子（図示せず）と接続されている。
【００１３】
電気掃除機のスイッチが入れられて電動送風機が運転を開始すると、遠心ファン１２の回転により空気はファンケーシング１５の空気取り入れ口１６から流入し、ディフューザ１３、リターンガイド１４を通ってハウジング２内の電動機部に流入し、電動機部を冷却して電動送風機から排気される。
【００１４】
本発明の第一実施形態では、図２のように支持板１９に嵌合溝２１を設け、シール押さえ部材の円筒部２２ａを嵌合固定する。この時、シール部材２４はシール押さえ部材のフランジ部２２ｂと支持板１９の間に挟持固定されることにより、遠心ファンと共に回転する押さえ板２５に設けた凸部２６と摺接する近傍を支持することができ、寸法的に安定させることが可能となることからシール部材２４が回動したり変形・剥がれることなく、漏れ空気を確実に防止でき、高性能な電動送風機とする事が出来る。
【００１５】
本発明の第二実施形態では、図３のように、シール押え部材のフランジ部２２ｂを円筒部２２ａよりも内径側にすることで、遠心ファンと共に回転する押さえ板２５に設けた凸部２６が摺接する半径をより小さくすることができ、摺接による摩擦トルクによる損失を小さくし、より高性能な電動送風機を実現できる。
第三の実施形態では、図４のように、遠心ファンと共に回転する押さえ板２５に設けた凸部２６の一部のみシール部材２４と摺接させることにより、摺接による摩擦トルクによる損失を低減することができる。またこの場合も図５（第四の実施形態）のようにシール押え部材の内径側で摺接させることもできる。
【００１６】
【発明の効果】
以上説明したように本発明によれば、良好なシール性を得られる柔軟なシール部材を用いることができ、シール部材の回動によるシール性の低下や、シール部材の外れ、シール部のロックによる電動送風機破損の危険をなくし、高性能な電動送風機を実現することができる。
【図面の簡単な説明】
【図１】本発明の第１の実施例である電動送風機の断面図である。
【図２】本発明の第１の実施例である電動送風機の部分図である。
【図３】本発明の第２の実施例である電動送風機の部分図である。
【図４】本発明の第３の実施例である電動送風機の部分図である。
【図５】本発明の第４の実施例である電動送風機の部分図である。
【図６】従来の技術を示す電動送風機の断面図である。
【符号の説明】
１…電動送風機、２…ハウジング、３…固定子、４ａ，４ｂ…軸受け、５…回転軸、６…回転子、７…整流子、８…ブラシ、９…ホルダ、１０…ばね、１１…リード線、１２…遠心ファン、１３…ディフューザ、１４…リターンガイド、１５…ファンケーシング、１６…空気取り入れ口、１７…エンドブラケット、１８…ナット、１９…支持板部、２０…循環流、２１…嵌合溝、２２…シール押さえ部材、２４…シール部材、２５…押さえ板、２６…押さえ板に設けた凸部。
【図１】
2005023868.tif 000003
【図２】
2005023868.tif 000004
【図３】
2005023868.tif 000005
【図４】
2005023868.tif 000006
【図５】
2005023868.tif 000007
【図６】
2005023868.tif 000008